(57)【要約】  カメラモジュールと本体ユニットとを有して構成される撮像装置において、画像データの原本性を検証することが可能な情報を当該画像データに付帯することにより、画像データの原本性を確保することが可能な撮像装置を提供する。  第２の制御手段（メイン制御部）は、画像データの原本性を検証するための原本性検証情報を含んだ第１の情報を出力し、第１の制御手段（サブ制御部）は、出力された第１の情報とカメラモジュールが有する第２の情報とを、画像データに電子透かしとして埋め込む。【特許請求の範囲】
【請求項１】
撮像手段及び当該撮像手段により取得された画像データを処理する第１の制御手段を有するカメラモジュールと、このカメラモジュールと信号線で接続され、前記カメラモジュールから出力された画像データを処理する第２の制御手段を有する本体ユニットと、を備えた撮像装置において、
前記第２の制御手段は、前記画像データの原本性を検証するための原本性検証情報を含んだ第１の情報を、前記信号線を介して前記第１の制御手段に出力し、
前記第１の制御手段は、前記出力された第１の情報と前記カメラモジュールが有する第２の情報とを、前記画像データに付帯させることを特徴とする撮像装置。
【請求項２】
前記原本性検証情報は、前記画像データの改竄の有無を検出するための改竄検出用情報であることを特徴とする請求の範囲第１項に記載の撮像装置。
【請求項３】
前記原本性検証情報は、前記画像データの著作者を示す電子署名情報であることを特徴とする請求の範囲第１項に記載の撮像装置。
【請求項４】
前記原本性検証情報は、前記画像データの撮像時の時刻を示す時刻情報であることを特徴とする請求の範囲第１項に記載の撮像装置。
【請求項５】
前記本体ユニットは、前記原本性検証情報の原本性を保証する第三機関から取得する取得手段を更に有することを特徴とする請求の範囲第１項に記載の撮像装置。
【請求項６】
前記第１の制御手段は、前記第１の情報に含まれる原本性検証情報を、前記画像データの信号内に電子透かしとして埋め込ませることを特徴とする請求の範囲第１項に記載の撮像装置。
【請求項７】
前記第１の情報は、前記撮像手段による撮影に伴う前記本体ユニット固有の撮影情報を含んでいることを特徴とする請求の範囲第１項に記載の撮像装置。
【請求項８】
前記第２の情報は、前記撮像手段による撮影に伴う前記カメラモジュール固有の撮影情報を含んでいることを特徴とする請求の範囲第１項に記載の撮像装置。
【請求項９】
前記第１の制御手段は、前記第１の情報に含まれる本体ユニット固有の撮影情報及び前記第２の情報に含まれるカメラモジュール固有の撮影情報に基づいて前記撮像手段による撮影に伴う全体の撮影情報を生成し、この全体の撮影情報を前記画像データに所定の形式で付帯させることを特徴とする請求の範囲第７項に記載の撮像装置。
【請求項１０】
前記本体ユニットは、前記原本性保証情報を前記第１の情報に含めるか否かを選択的に設定可能な入力手段を更に有することを特徴とする請求の範囲第１項に記載の撮像装置。
【発明の詳細な説明】
【技術分野】
【０００１】
本発明は、被写体を撮像して画像データを出力するカメラモジュールを備えた撮像装置に関する。
【背景技術】
【０００２】
近年、デジタルカメラ等の撮像装置は、高機能化、低価格化が進み、急速に普及している。また、携帯情報端末装置に撮像装置が搭載されたものが多くあり、いつでも簡易に撮影を行うことができる点が評価されて一般に広く普及している。デジタル画像データの普及に伴い、官庁に提出する証明写真や証拠写真等についてもデジタルの画像データでの提出が認められており、証明力のあるものとして用いられている。【０００３】
デジタル画像データは、その性質上改竄等の加工処理を容易に行うことが可能であり、また、銀塩写真と比較して加工の跡を残さずに処理することが可能である。そのため、改竄等の不正な加工処理が施されたデジタル画像データが証明写真や証拠写真等として提出されても判別することが困難であることから、悪用されてしまう可能性がある。そのため、従来、電子透かし（digital watermarking）やＰＫＩ（Public Key Infrastructure）等の技術を用いた画像データの改竄検出技術が提案されている（例えば、特許文献１、２参照）。また、認証局等の第三機関が発行する証明書等を利用してデータの原本性を検証することが可能なサービスが行われている。【０００４】
一方、上記した撮像装置は、被写体を撮像して画像データを出力するカメラモジュールと、この出力された画像データの記録及び表示等を行う撮像装置本体（以下、本体ユニットという。）とに大別することが可能である。このような構成にすることにより、カメラモジュールを一つのモジュールとして取り扱うことができるため、接続する本体ユニットの形態によらず汎用的に適用することが可能となり、撮像装置製造工程において利便性を向上することができる。
【特許文献１】特開平１１−３０８５６４号公報
【特許文献２】特開２００１−７８０１４号公報
【発明の開示】
【発明が解決しようとする課題】
【０００５】
しかしながら、カメラモジュールと本体ユニットとから構成される撮像装置では、カメラモジュールにて画像データが生成されることになるため、上記した従来技術を適用することはできない。また、カメラモジュールと本体ユニットとに撮影に伴う撮影情報が分散して存在する可能性があるため、上記した従来技術では撮影に係る全ての撮影情報をユーザに提供できないという問題が発生する可能性がある。【０００６】
本発明の課題は、カメラモジュールと本体ユニットとを有して構成される撮像装置において、画像データの原本性を検証することが可能な情報を当該画像データに付帯することにより、画像データの原本性を確保することが可能な撮像装置を提供することである。上記課題を解決するため、本発明は以下の項目に記載する特徴を備えている。
【課題を解決するための手段】
【０００７】
上記課題を解決するために、項１に記載の発明は、
撮像手段及び当該撮像手段により取得された画像データを処理する第１の制御手段を有するカメラモジュールと、このカメラモジュールと信号線で接続され、前記カメラモジュールから出力された画像データを処理する第２の制御手段を有する本体ユニットと、を備えた撮像装置において、
前記第２の制御手段は、前記画像データの原本性を検証するための原本性検証情報を含んだ第１の情報を、前記信号線を介して前記第１の制御手段に出力し、
前記第１の制御手段は、前記出力された第１の情報と前記カメラモジュールが有する第２の情報とを、前記画像データに付帯させることを特徴としている。【０００８】
ここで、「画像データの原本性」とは、画像データが原本（オリジナル）であることを意味しており、さらに、画像データに対し改竄等の改変が行われていないことを意味する「完全性」の概念を含めるものとする。【０００９】
更に、項２に記載の発明は、項１に記載の発明において、
前記原本性検証情報は、前記画像データの改竄の有無を検出するための改竄検出用情報であることを特徴としている。【００１０】
更に、項３に記載の発明は、項１に記載の発明において、
前記原本性検証情報は、前記画像データの著作者を示す電子署名情報であることを特徴としている。【００１１】
更に、項４に記載の発明は、項１に記載の発明において、
前記原本性検証情報は、前記画像データの撮像時の時刻を示す時刻情報であることを特徴としている。【００１２】
更に、項５に記載の発明は、項１〜４の何れか一項に記載の発明において、
前記本体ユニットは、前記原本性検証情報を第三機関から取得する取得手段を更に有することを特徴としている。【００１３】
ここで、「第三機関」とは、認証局（ＣＡ：Certificate Authority）等の機関であって、画像データ等の各種データの原本性を保証するための原本性検証情報を生成し、この原本性検証情報を提供するとともに、この生成された原本性検証情報に基づいてデータの原本性を検証することが可能なサービスを提供する機関を意味する。【００１４】
更に、項６に記載の発明は、項１〜４の何れか一項に記載の発明において、
前記第１の制御手段は、前記第１の情報に含まれる原本性検証情報を、前記画像データの信号内に電子透かしとして埋め込ませることを特徴としている。【００１５】
更に、項７に記載の発明は、項１に記載の発明において、
前記第１の情報は、前記撮像手段による撮影に伴う前記本体ユニット固有の撮影情報を含んでいることを特徴としている。【００１６】
ここで、「撮影情報」とは、撮影に伴う撮影条件や撮影環境等を示す情報であって、例えば、日時を示す時刻情報、露出時間、Ｆ値、シャッタースピード、絞り、撮像装置のメーカ名、モデル名等を意味している。【００１７】
更に、項８に記載の発明は、項１に記載の発明において、
前記第２の情報は、前記撮像手段による撮影に伴う前記カメラモジュール固有の撮影情報を含んでいることを特徴としている。【００１８】
更に、項９に記載の発明は、項７又は８に記載の発明において、
前記第１の制御手段は、前記第１の情報に含まれる本体ユニット固有の撮影情報及び前記第２の情報に含まれるカメラモジュール固有の撮影情報に基づいて前記撮像手段による撮影に伴う全体の撮影情報を生成し、この全体の撮影情報を前記画像データに所定の形式で付帯させることを特徴としている。【００１９】
更に、項１０に記載の発明は、項１に記載の発明において、
前記本体ユニットは、前記原本性保証情報を前記第１の情報に含めるか否かを選択的に設定可能な入力手段を更に有することを特徴としている。
【図面の簡単な説明】
【００２０】
【図１】携帯電話機の構成を示すブロック図である。
【図２】カメラモジュールの構成を示すブロック図である。
【図３】実施例１における撮像処理の流れを示すフローチャートである。
【図４】実施例２における撮像処理の流れを示すフローチャートである。
【図５】実施例３における撮像処理の流れを示すフローチャートである。
【符号の説明】
【００２１】
１０  携帯電話機（撮像装置、本体ユニット）
１１  メイン制御部（第２の制御手段）
１２  操作部（入力手段）
１３  表示部
１４  通信部（取得手段）
１４１  無線通信回路
１４２  通信処理回路
１５  記憶部
１６  音声入出力部
１７  計時部
１８  電源部
１９  バス
２０  カメラモジュール（カメラモジュール）
２０１  撮像光学系（撮像手段）
２０２  ＣＣＤ（撮像手段）
２０３  Ａ／Ｄ回路（撮像手段）
２０４  信号処理回路（撮像手段）
２０５  画像生成部（撮像手段）
２０６  画像出力Ｉ／Ｆ
２０７  アクチュエータ
２０８  記憶部
２０９  電源回路
２１０  サブ制御部（第１の制御手段）
２１１  シリアル通信Ｉ／Ｆ
【発明を実施するための最良の形態】
【００２２】
以下、本発明の撮像装置を、カメラモジュールを有した撮像装置付き携帯電話機１０に適用した例を、図１〜図５を参照して詳細に説明する。【００２３】
図１に携帯電話機１０の機能的構成を示す。図１に示すように、携帯電話機１０は、メイン制御部１１、操作部１２、表示部１３、通信部１４、記憶部１５、音声入出力部１６、計時部１７、電源部１８、カメラモジュール２０等を備えて構成され、各部はバス１９により接続されている。ここで、カメラモジュール２０が特許請求の範囲に記載のカメラモジュールに対応し、携帯電話機１０からカメラモジュール２０を除いたものが特許請求の範囲に記載の本体ユニットに対応する（以下、携帯電話機１０からカメラモジュール２０を除いたものを本体ユニットという）。【００２４】
メイン制御部１１は、図示しないＣＰＵ（Central Processing Unit）、内部ＲＡＭ（Random Access Memory）、ＲＯＭ（Read Only Memory）等を備え、ＣＰＵにおいて、内部ＲＡＭの所定領域を作業領域としてＲＯＭに記憶されている各種制御プログラムに従い、上記各部に制御信号を送って携帯電話機１０の動作全般を統括制御する。【００２５】
メイン制御部１１は、記憶部１５に記憶されている各種処理プログラムやメールソフト等のアプリケーションプログラムを読み出してワークメモリに展開し、各種処理を実行し、それらの処理結果をＲＡＭ内のワークメモリに記憶すると共に表示部１３に表示させる。そして、ワークメモリに格納した処理結果を記憶部１５内の指定の保存先に記憶させる。【００２６】
メイン制御部１１は、通信部１４を介して第三機関から原本性検証情報を取得し、この原本性検証情報をシリアル通信Ｉ／Ｆ２１１を介してカメラモジュール２０に出力する。また、メイン制御部１１は、計時部１７により計時される時刻情報や本体ユニット固有の情報等を取得し、原本性検証情報としてシリアル通信Ｉ／Ｆ２１１を介してカメラモジュール２０に出力する。【００２７】
メイン制御部１１は、本体ユニット内の各機能部から撮影に伴う撮影情報を取得し、この本体ユニット固有の撮影情報をシリアル通信Ｉ／Ｆ２１１を介してカメラモジュール２０に出力する。ここで、「撮影情報」とは、撮影に伴う撮影条件や撮影環境等を示す情報であって、例えば、計時部１７により計時される時刻情報、露出時間、Ｆ値、シャッタースピード、絞り値、撮像装置のメーカ名、モデル名等を意味している。【００２８】
撮像装置が本実施の形態で示すようなカメラモジュール２０と本体ユニットとを有して構成される場合、撮影情報が分散して存在することになる。そのため、後述するサブ制御部２１０により、両者の撮影情報が全体の撮影情報として纏められ、この全体の撮影情報がＥｘｉｆ規格に準拠した形式で画像データに付帯される。【００２９】
メイン制御部１１は、カメラモジュール２０から出力されたＥｘｉｆ画像データを記憶部１５に記憶させる。また、メイン制御部１１は、記憶部１５に記憶されたＥｘｉｆ画像データを表示部１３に表示させる。【００３０】
操作部１２は、携帯電話機１０に対する操作指示を入力するための数字キー、文字キー、機能キーなどの各種キーや、小型のスティック状のポインティングデバイス等を含んで構成され、そのキー操作による押下信号をメイン制御部１１に出力する。【００３１】
表示部１３は、ＬＣＤ（Liquid Crystal Display）パネル等により構成され、メイン制御部１１から入力される表示データに基づいて画面表示する。【００３２】
通信部１４は、無線通信回路１４１、通信処理回路１４２を有しており、所定の通信方式により、データ又は音声信号の送受信を無線で行う。特に、ネットワークＮを介して接続される第三機関から原本性検証情報を取得する。【００３３】
通信部１４を介して接続される第三機関とは、認証局等の機関であって、画像データ等の各種データの原本性を保証するための原本性検証情報を発行し、この原本性検証情報を、ネットワークＮを介して接続され携帯電話機１０等の端末に提供する。さらに、第三機関は、この生成された原本性検証情報に基づいてデータの原本性を検証することが可能なサービスを提供する。【００３４】
ここで、原本性検証情報とは、画像データの原本性を検証するための情報であって、デジタルＩＤや証明書等の著作者を示す電子署名情報や、メッセージダイジェスト技術等により得られる画像データのハッシュ値等画像データの改竄を検出可能な改竄検出用情報、画像データの生成日時を示す時刻情報等を有して構成されている。【００３５】
上記した原本性検証情報のうち、電子署名情報により、画像データの著作者が正当な者であるか否かを検証することが可能であり、改竄検出用情報により、画像データに改竄等の改変が行われたか否かを検証することが可能である。また、時刻情報により、その時刻に画像データが存在したことを証明することが可能である。【００３６】
無線通信回路１４１は、後述する通信処理回路１４２からのアナログ信号を元に、ＧＳＭ（Global System for Mobile communication）方式、ＧＰＲＳ（General Packet Radio System ；汎用パケット無線システム）方式、ＰＤＣ（Personal Digital Cellular）方式、ＣＤＭＡ（Code Division Multiple Access）方式、ＰＨＳ（Personal Handyphone System）方式、Bluetooth無線通信方式、無線ＬＡＮ（Local Area Network）等のように各種携帯電話や無線モデムの規格や通信方式により、図示しない通信業者の無線基地局と携帯電話機１０に備えられた図示しない通信用アンテナとの間で、データ通信や通話データなどを無線で送受信し、受信されたアナログ信号を通信処理回路１４２へ出力する。【００３７】
通信処理回路１４２は、ＡＦＥ（Analog Front End）、通信用ＤＳＰ（Digital Signal Processor）等からなり（いずれも図示しない）、無線通信回路１４１から入力されるアナログ受信信号を、通信データ、画像データ、又は音声データなどの各種デジタルデータに復号化した後、メイン制御部１１へ出力する。また、通信処理回路１４２は、メイン制御部１１から入力される上記各種デジタルデータに圧縮等の処理を施した後、アナログ信号に変換して、無線通信回路１４１へ出力する。【００３８】
記憶部１５は、揮発メモリ、磁気的・光学的記録媒体又は不揮発性メモリなどで構成され、ＯＳ（Operating System）、各種動作プログラム等の各種データを格納する。【００３９】
音声入出力部１６は、音声用スピーカ及びマイクなどからなり、通話時のユーザの音声等を前記マイクにより音声入力信号としてメイン制御部１１へ出力し、メイン制御部１１からの音声出力信号を前記音声用スピーカにより音声として出力する。【００４０】
計時部１７は、現在時刻や日付（年月日）を計時し、計時された現在時刻や日付を示す時刻情報をメイン制御部１１に出力する。計時部１７は、例えば、所定周波数の電気信号を発振する発振回路（図示省略）と該発振回路からの信号を分周して所定周波数の信号を得る分周回路とから構成されその信号をカウントすることによって現在時刻を計時する構成としてもよい。【００４１】
電源部１８は、電源用回路や充電池等により構成され、メイン制御部１１の制御に基づいて、携帯電話機１０が備える各機能部への電源供給を行う。【００４２】
カメラモジュール２０は、図２に示すように、撮像光学系２０１、ＣＣＤ（Charge-Coupled Devices）２０２、Ａ／Ｄ回路２０３、信号処理回路２０４、画像生成部２０５、画像出力Ｉ／Ｆ２０６、アクチュエータ２０７、記憶部２０８、電源回路２０９、サブ制御部２１０、シリアル通信Ｉ／Ｆ２１１等を有して構成されている。【００４３】
撮像光学系２０１は、被写体の光画像を結像させるものであり、被写体に合焦させるためのフォーカスレンズ（不図示）等を有して構成されている。【００４４】
ＣＣＤ２０２は、撮像光学系２０１により受光面上に結像された被写体像を電気信号に変換して、アナログの画像データとしてＡ／Ｄ回路２０３に出力する。なお、本実施の形態では、ＣＣＤを用いることとしたが、これに限らず、ＣＭＯＳ（Complementary Metal Oxide Semiconductor）等の固体撮像素子であってもよい。【００４５】
Ａ／Ｄ回路２０３は、ＣＣＤ２０２から出力されたアナログ画像データをデジタルの画像データに変換し、信号処理回路２０４に出力する。【００４６】
信号処理回路２０４は、Ａ／Ｄ回路２０３から出力された画像データに対して、例えば、ＹＵＶデータに変換、ガンマ補正、ホワイトバランス補正等の処理を施して画像生成部２０５に出力する。さらに、信号処理回路２０４は、原本性検証情報を電子透かしとして画像データに埋め込む。【００４７】
画像生成部２０５は、信号処理回路２０４から出力された画像データに対しＪＰＥＧ（Joint Photographic Expert Group）方式に準拠した圧縮方式で圧縮処理を施して生成されたＪＰＥＧ画像データを画像出力Ｉ／Ｆ２０６に出力する。また、サブ制御部２１０の制御に応じて、ＪＰＥＧ画像データのヘッダ部に撮影情報をＥｘｉｆ規格に準拠した形式で付帯させたＥｘｉｆ画像データを生成し、画像出力Ｉ／Ｆ２０６に出力する。【００４８】
なお、本実施の形態では、ＪＰＥＧ方式に準拠した画像データを生成することとしたが、これに限らず、ＴＩＦＦ（Tag Image File Format）等他の方式に準拠した画像データを生成することとしてもよい。また、本実施の形態では、撮影情報をＥｘｉｆ規格に準拠した形式で付帯させるとしたが、これに限らず、他の規格に準拠した形式であってもよい。【００４９】
画像出力Ｉ／Ｆ２０６は、Ａ／Ｄ回路２０３から出力される画像データをメイン制御部１１に出力するためのインターフェイスであって、一方向の高速なバスによってメイン制御部１１と接続されている。【００５０】
アクチュエータ２０７は、不図示のフォーカスモータと、フォーカスドライバ等を有しており、フォーカスドライバは、サブ制御部２１０から入力される制御信号に応じて、フォーカスモータを駆動して、撮像光学系２０１のフォーカスレンズを光軸方向に駆動させる。また、アクチュエータ２０７は、撮像光学系２０１のレンズバリア（図示略）の開閉等の駆動を行う。【００５１】
記憶部２０８は、フラッシュメモリなどの不揮発メモリ等により構成され、カメラモジュール２０の各部の制御に必要なプログラムコード及び各種制御パラメータ等の調整情報を記憶している。【００５２】
ここで、調整情報とは、カメラモジュール２０に内蔵された各機能部に固有の調整値が記録された情報であって、例えば、撮像光学系２０１の無限位置、過焦点位置、マクロ位置を設定するための情報や、ＣＣＤ２０２の色ばらつき補正等を行う情報等であって、カメラモジュール２０の起動の際には、この調整情報に基づいて各部の初期化が行われる。【００５３】
電源回路２０９は、図１に示した電源部１８から供給される電力の電圧調整等を行い、サブ制御部２１０の制御に応じて、カメラモジュール２０の各機能部に電力の供給を行う。【００５４】
サブ制御部２１０は、図示しないＣＰＵ、内部ＲＡＭ、ＲＯＭ等を備え、ＣＰＵにおいて、内部ＲＡＭの所定領域を作業領域としてＲＯＭに記憶されている各種制御プログラムに従い、上記各部に制御信号を送ってカメラモジュール２０の各部の動作全般を統括制御する。また、サブ制御部２１０は、シリアル通信Ｉ／Ｆ２１１を介してメイン制御部１１から入力される制御信号に基づいてカメラモジュール２０の各部の動作全般を統括制御する。【００５５】
サブ制御部２１０は、信号処理回路２０４を制御することにより、撮像によりＡ／Ｄ回路から出力されるデジタルの画像データに対し、本体ユニットから入力された原本性検証情報を電子透かしとして埋め込ませる。この電子透かしとして画像データに埋め込まれた原本性検証情報の検証を、通信部１４を介して接続される第三機関や、その他公知の認証技術により行うことにより、該画像データの原本性が保たれているか否かを判定することができる。ここで、原本性検証情報を、画像データの標本値に埋め込むこととしてもよいし、画像データを周波数成分に変換し特定の周波数成分に埋め込むこととしてもよい。また、原本性検証情報に対してカメラモジュール２０で暗号化等の処理を行った後、この処理後の原本性検証情報を電子透かしとして埋め込ませることとしてもよい。【００５６】
サブ制御部２１０は、カメラモジュール２０の起動時に、記憶部２０８に記憶された調整情報及び本体ユニットから入力された本体ユニット固有の撮影情報に基づいてカメラモジュールに内蔵された各機能部の初期化を行う。【００５７】
サブ制御部２１０は、カメラモジュール２０内の各部から撮影に伴う撮影情報を取得し、このカメラモジュール固有の撮影情報と本体ユニット固有の撮影情報とを全体の撮影情報として、画像生成部２０５で生成されたＪＰＥＧ画像データのヘッダ部に付帯させる。【００５８】
シリアル通信Ｉ／Ｆ２１１は、サブ制御部２１０とメイン制御部１１とを接続するためのシリアル通信インターフェイスであって、メイン制御部１１から入力される制御信号をサブ制御部２１０に出力するとともに、サブ制御部２１０から入力される各種信号をメイン制御部１１に出力する。【００５９】
次に、本携帯電話機１０の動作を実施例１〜実施例３に分けて説明する。なお、本実施例の動作の前提として、原本性検証情報は、通信部１４を介して第三機関から取得されるものとし、当該原本性検証情報を使用するか否かは、ユーザにより操作部１２を介し任意のタイミングで設定可能であるものとする。
【実施例１】
【００６０】
まず、図３を参照して本実施例１の携帯電話機１０の動作を説明する。本実施例１では、カメラモジュール２０の起動時にメイン制御部から原本性検証情報を前記カメラモジュール２０に出力する例を示す。なお、ステップＭ１〜Ｍ６はメイン制御部１１の制御により行われ、ステップＳ１〜Ｓ１０はサブ制御部２１０の制御により行われる。【００６１】
まず、ユーザから入力されるカメラモジュール２０の電源投入等の指示に応じ、メイン制御部１１からカメラモジュール２０の起動開始を指示する信号が、シリアル通信Ｉ／Ｆ２１１を介してカメラモジュール２０のサブ制御部２１０に出力される（ステップＭ１）。【００６２】
一方、カメラモジュール２０では、ステップＭ１で出力された起動開始信号が入力されると、カメラモジュール２０に内蔵された各機能部の起動処理が、記憶部２０８に記憶された設定情報に基づいて行われ（ステップＳ１）、起動処理が完了すると起動完了を旨する信号が、シリアル通信Ｉ／Ｆ２１１を介してメイン制御部１１に出力される。【００６３】
メイン制御部１１では、カメラモジュール２０から出力された起動完了を旨する信号が入力されると、通信部１４を介して第三機関に接続が行われ、この第三機関から原本性検証情報の取得が行われる（ステップＭ２）。【００６４】
次いで、ステップＭ２で取得された原本性検証情報と本体ユニットに固有の撮影情報（以下、本体側撮影情報という）とが、シリアル通信Ｉ／Ｆ２１１を介してサブ制御部２１０に出力される（ステップＭ３）。【００６５】
カメラモジュール２０では、ステップＭ３で出力された原本性検証情報及び本体側撮影情報が入力されると（ステップＳ２）、両情報が記憶部２０８に記憶されるとともに、本体側撮影情報が、カメラモジュール２０が内蔵する各機能部に設定される（ステップＳ３）。【００６６】
この段階において、ユーザから操作部１２を介して撮影開始ボタンが押下されると、メイン制御部１１から撮影開始を指示する信号が、シリアル通信Ｉ／Ｆ２１１を介してサブ制御部２１０に出力される（ステップＭ４）。【００６７】
サブ制御部２１０では、ステップＭ４で出力された撮影開始信号が入力されると（ステップＳ４）、撮像光学系２０１を通じてＣＣＤ２０２により取り込まれたアナログの画像データがＡ／Ｄ回路２０３によりデジタルの画像データに変換される（ステップＳ５）。【００６８】
ここで、ユーザにより設定された原本性検証情報の使用の有無が判定されて（ステップＳ６）、使用するよう設定されている場合には（ステップＳ６；Ｙｅｓ）、ステップＳ５で出力されたデジタルの画像データに対し、信号処理回路２０４により所定の信号処理を施した後、記憶部２０８に記憶された原本性検証情報が当該画像データに電子透かしとして埋め込まれ、画像生成部２０５によりＪＰＥＧ画像データとして生成されて（ステップＳ７）、ステップＳ９に移行する。【００６９】
一方、原本性検証情報を使用しないよう設定されている場合には（ステップＳ６；Ｎｏ）、ステップＳ５で出力されたデジタルの画像データに対し、信号処理回路２０４により所定の信号処理を施した後、画像生成部２０５によりＪＰＥＧ画像データとして生成されて（ステップＳ８）、ステップＳ９に移行する。【００７０】
次いで、カメラモジュール２０に固有の撮影情報と記憶部２０８に記憶された本体側撮影情報とが、ステップＳ７又はステップＳ８で生成されたＪＰＥＧ画像データのヘッダ部にＥｘｉｆ規格に準拠した形式で付帯されてＥｘｉｆ画像データとして生成された後（ステップＳ９）、このＥｘｉｆ画像データが、画像出力Ｉ／Ｆ２０６を介してメイン制御部１１に出力されて（ステップＳ１０）、カメラモジュール２０の処理は終了する。【００７１】
一方、本体ユニットでは、カメラモジュール２０から出力されたＥｘｉｆ画像データが入力されると（ステップＭ５）、このＥｘｉｆ画像データが記憶部１５に記憶されて（ステップＭ６）、本体ユニットの処理は終了する。【００７２】
以上のように、本実施例１によれば、画像データに埋め込まれた原本性検証情報に基づいて画像データの原本性を検証することが可能であるため、当該画像データの原本性を確保することができる。【００７３】
また、カメラモジュール２０の起動時に原本性検証情報を該カメラモジュール２０に出力することにより、撮像毎に原本性検証情報を取得する必要がないため、撮像からＥｘｉｆ画像データ生成までの処理を迅速に行うことができる。【００７４】
また、複数枚の画像データの撮像において、カメラモジュール２０の起動時に取得した原本性検証情報を共通して使用することが可能であるため、一連した被写体を撮像する際に好適である。
【実施例２】
【００７５】
次に、図４を参照して本実施例２の携帯電話機１０の動作を説明する。本実施例２では、カメラモジュール２０による撮像後、カメラモジュール２０から本体ユニットに対し原本性検証情報を要求する例を示す。なお、ステップＭ２１〜Ｍ２７はメイン制御部１１の制御により行われ、ステップＳ２１〜Ｓ３２はサブ制御部２１０の制御により行われる。【００７６】
まず、ユーザから入力されるカメラモジュール２０の電源投入等の指示に応じ、メイン制御部１１からカメラモジュール２０の起動開始を指示する信号が、シリアル通信Ｉ／Ｆ２１１を介してサブ制御部２１０に出力される（ステップＭ２１）。【００７７】
カメラモジュール２０では、ステップＭ２１で出力された起動開始信号が入力されると、カメラモジュール２０に内蔵された各機能部の起動処理が、記憶部２０８に記憶された設定情報に基づいて行われ（ステップＳ２１）、起動処理が完了すると起動完了を旨する信号が、シリアル通信Ｉ／Ｆ２１１を介してメイン制御部１１に出力される。【００７８】
メイン制御部１１では、カメラモジュール２０から出力された起動完了を旨する信号が入力されると、本体側撮影情報が、シリアル通信Ｉ／Ｆ２１１を介してサブ制御部２１０に出力される（ステップＭ２２）。【００７９】
カメラモジュール２０では、ステップＭ２２で出力された本体側撮影情報が入力されると（ステップＳ２２）、この本体側撮影情報が記憶部２０８に記憶されるとともに、カメラモジュール２０が内蔵する各機能部に設定される（ステップＳ２３）。【００８０】
この段階において、ユーザから操作部１２を介して撮影開始ボタンが押下されると、メイン制御部１１から撮影開始を指示する信号が、シリアル通信Ｉ／Ｆ２１１を介してサブ制御部２１０に出力される（ステップＭ２３）。【００８１】
サブ制御部２１０では、ステップＭ２３で出力された撮影開始信号が入力されると（ステップＳ２４）、撮像光学系２０１を通じてＣＣＤ２０２により取り込まれたアナログの画像データがＡ／Ｄ回路２０３によりデジタルの画像データに変換される（ステップＳ２５）。【００８２】
ここで、ユーザにより設定された原本性検証情報の使用の有無が判定されて（ステップＳ２６）、使用するよう設定されている場合には（ステップＳ２６；Ｙｅｓ）、原本性検証情報を要求する旨の信号が、シリアル通信Ｉ／Ｆ２１１を介してメイン制御部１１に出力される（ステップＳ２７）。【００８３】
メイン制御部１１では、ステップＳ２７で出力された原本性検証情報要求信号が入力されると、通信部１４を介して第三機関に接続が行われて原本性検証情報の取得が取得され（ステップＭ２４）、この原本性検証情報が、シリアル通信Ｉ／Ｆ２１１を介してサブ制御部２１０に出力される（ステップＭ２５）。【００８４】
サブ制御部２１０では、ステップＭ２６で出力された原本性検証情報が入力されると（ステップＳ２８）、この原本性検証情報が記憶部２０８に記憶され、ステップＳ２５で出力されたデジタルの画像データに対し、信号処理回路２０４により所定の信号処理を施した後、この原本性検証情報が当該画像データに電子透かしとして埋め込まれ、画像生成部２０５によりＪＰＥＧ画像データとして生成されて（ステップＳ２９）、ステップＳ３１に移行する。【００８５】
一方、原本性検証情報を使用しないよう設定されている場合には（ステップＳ２６；Ｎｏ）、ステップＳ２５で出力されたデジタルの画像データに対し、信号処理回路２０４により所定の信号処理を施した後、画像生成部２０５によりＪＰＥＧ画像データとして生成されて（ステップＳ３０）、ステップＳ３１に移行する。【００８６】
次いで、カメラモジュール２０に固有の撮影情報と記憶部２０８に記憶された本体側撮影情報とが、ステップＳ２９又はステップ３０で生成されたＪＰＥＧ画像データのヘッダ部にＥｘｉｆ規格に準拠した形式で付帯されてＥｘｉｆ画像データとして生成された後（ステップＳ３１）、このＥｘｉｆ画像データが、画像出力Ｉ／Ｆ２０６を介してメイン制御部１１に出力されて（ステップＳ３２）、カメラモジュール２０の処理は終了する。【００８７】
一方、本体ユニットでは、カメラモジュール２０から出力されたＥｘｉｆ画像データが入力されると（ステップＭ２６）、このＥｘｉｆ画像データが記憶部１５に記憶されて（ステップＭ２７）、本体ユニットの処理は終了する。【００８８】
以上のように、本実施例２によれば、画像データに埋め込まれた原本性検証情報に基づいて画像データの原本性を検証することが可能であるため、当該画像データの原本性を確保することができる。【００８９】
また、メイン制御部１１は、撮像後にカメラモジュール２０から出力される原本性検証情報要求に応じて原本性検証情報を取得し、前記カメラモジュールに出力するため、撮像毎に異なる原本性検証情報を使用することができる。
【実施例３】
【００９０】
次に、図５を参照して本実施例３の携帯電話機１０の動作を説明する。本実施例３では、カメラモジュール２０による撮像後、カメラモジュール２０から本体ユニットに対し原本性検証情報を要求する例を示す。なお、ステップＭ４１〜Ｍ４８はメイン制御部１１の制御により行われ、ステップＳ４１〜Ｓ５２はサブ制御部２１０の制御により行われる。【００９１】
まず、ユーザから入力されるカメラモジュール２０の電源投入等の指示に応じ、メイン制御部１１からカメラモジュール２０の起動開始を指示する信号が、シリアル通信Ｉ／Ｆ２１１を介してサブ制御部２１０に出力される（ステップＭ４１）。【００９２】
カメラモジュール２０では、ステップＭ４１で出力された起動開始信号が入力されると、カメラモジュール２０に内蔵された各機能部の起動処理が、記憶部２０８に記憶された設定情報に基づいて行われ（ステップＳ４１）、起動処理が完了すると起動完了を旨する信号が、シリアル通信Ｉ／Ｆ２１１を介してメイン制御部１１に出力される。【００９３】
メイン制御部１１では、カメラモジュール２０から出力された起動完了を旨する信号が入力されると、本体側撮影情報が、シリアル通信Ｉ／Ｆ２１１を介してサブ制御部２１０に出力される（ステップＭ４２）。【００９４】
カメラモジュール２０では、ステップＭ４２で出力された本体側撮影情報が入力されると（ステップＳ４２）、この本体側撮影情報が記憶部２０８に記憶されるとともに、カメラモジュール２０が内蔵する各機能部に設定される（ステップＳ４３）。【００９５】
この段階において、ユーザから操作部１２を介して撮影開始ボタンが押下されると、メイン制御部１１から撮影開始を指示する信号が、シリアル通信Ｉ／Ｆ２１１を介してサブ制御部２１０に出力される（ステップＭ４３）。【００９６】
サブ制御部２１０では、ステップＭ４３で出力された撮影開始信号が入力されると（ステップＳ４４）、撮像光学系２０１を通じてＣＣＤ２０２により取り込まれたアナログの画像データがＡ／Ｄ回路２０３によりデジタルの画像データに変換され（ステップＳ４５）、画像データの取り込みが完了したことを旨する信号が、シリアル通信Ｉ／Ｆ２１１を介してメイン制御部１１に出力される。【００９７】
次いで、メイン制御部１１では、画像データ取り込み完了を旨する信号が入力されると、通信部１４を介して第三機関に接続が行われて原本性検証情報が取得され（ステップＭ４４）、この原本性検証情報が、シリアル通信Ｉ／Ｆ２１１を介してサブ制御部２１０に出力される（ステップＭ４５）。【００９８】
サブ制御部２１０では、ステップＭ４５で出力された原本性検証情報が入力されると（ステップＳ４６）、この原本性検証情報が記憶部２０８に記憶され、その旨の信号が、シリアル通信Ｉ／Ｆ２１１を介してメイン制御部１１に出力される。【００９９】
メイン制御部１１では、原本性検証情報を記憶した旨の信号が入力されると、画像処理の開始を指示する画像処理開始信号がシリアル通信Ｉ／Ｆ２１１を介してサブ制御部２１０に出力される（ステップＭ４６）。【０１００】
サブ制御部２１０では、ステップＭ４６で出力された画像処理開始信号が入力されると（ステップＳ４７）、ユーザにより設定された原本性検証情報の使用の有無が判定されて（ステップＳ４８）、使用するよう設定されている場合には（ステップＳ４８；Ｙｅｓ）、ステップＳ４５で出力されたデジタルの画像データに対し、信号処理回路２０４により所定の信号処理を施した後、記憶部２０８に記憶された原本性検証情報が当該画像データに電子透かしとして埋め込まれ、画像生成部２０５によりＪＰＥＧ画像データとして生成されて（ステップＳ４９）、ステップＳ５１に移行する。【０１０１】
一方、原本性検証情報を使用しないよう設定されている場合には（ステップＳ４８；Ｎｏ）、ステップＳ５で出力されたデジタルの画像データに対し、信号処理回路２０４により所定の信号処理を施した後、画像生成部２０５によりＪＰＥＧ画像データとして生成されて（ステップＳ５０）、ステップＳ５１に移行する。【０１０２】
次いで、カメラモジュール２０に固有の撮影情報と記憶部２０８に記憶された本体側撮影情報とが、ステップＳ４９又はステップＳ５０で生成されたＪＰＥＧ画像データのヘッダ部にＥｘｉｆ規格に準拠した形式で付帯されてＥｘｉｆ画像データとして生成された後（ステップＳ５１）、このＥｘｉｆ画像データが、画像出力Ｉ／Ｆ２０６を介してメイン制御部１１に出力されて（ステップＳ５２）、カメラモジュール２０の処理は終了する。【０１０３】
一方、本体ユニットでは、カメラモジュール２０から出力されたＥｘｉｆ画像データが入力されると（ステップＭ４７）、このＥｘｉｆ画像データが記憶部１５に記憶されて（ステップＭ４８）、本体ユニットの処理は終了する。【０１０４】
以上のように、本実施例３によれば、画像データに埋め込まれた原本性検証情報に基づいて画像データの原本性を検証することが可能であるため、当該画像データの原本性を確保することができる。【０１０５】
また、カメラモジュール２０による撮像毎に原本性検証情報が該カメラモジュール２０に出力され、メイン制御部から出力される画像処理開始信号に応じて前記出力された原本性検証情報の埋め込み処理を行うため、撮像毎に異なる原本性検証情報を使用することが可能であるとともに、原本性検証情報の埋め込み処理を画像処理開始信号に応じて確実に行うことができる。【０１０６】
本実施の形態における記述は、本発明に係る撮像装置の一例を示すものであり、これに限定されるものではない。本実施の形態における携帯電話機１０の細部構成及び詳細動作に関しては、本発明の趣旨を逸脱しない範囲で適宜変更可能である。【０１０７】
例えば、本実施の形態では、原本性検証情報をネットワークＮを介して接続された第三機関より取得することとしたが、これに限らず、本体ユニットが備えた計時部１７により計時される時刻情報を原本性検証情報として用いてもよいし、本体ユニットを識別可能な製造番号等の識別情報を原本性検証情報としてもよい。【０１０８】
また、本実施の形態では、原本性検証情報を画像データに電子透かしとして埋め込むこととしたが、これに限らず、他の形態で付帯させることとしてもよい。例えば、原本性検証情報を公開鍵暗号方式等の公知の暗号技術を用いて暗号化し、この暗号化された原本性検証情報を画像データに不可分な形態で付帯させることとしてもよい。【０１０９】
また、本実施の形態では、原本性検証情報の画像データへの埋め込みをＪＰＥＧ圧縮処理前に行うこととしたが、これに限らず、ＪＰＥＧ圧縮処理の途中で行うこととしてもよいし、ＪＰＥＧ圧縮処理後に行うこととしてもよいし、Ｅｘｉｆ画像データ生成後に行うこととしてもよい。【０１１０】
また、本実施の形態では、本体ユニット及びカメラモジュール２０が有する撮影情報をＥｘｉｆ規格に準拠した形式で画像データに付帯させることとしたが、これに限らず、他の規格に準拠した形式であってもよい。
【産業上の利用可能性】
【０１１１】
項１に記載の発明によれば、第２の制御手段は、画像データの原本性を検証するための原本性検証情報を含んだ第１の情報を出力し、第１の制御手段は、出力された第１の情報とカメラモジュールが有する第２の情報とを、画像データに付帯させる。このことにより、この原本性検証情報に基づいて画像データの原本性を検証することが可能であるため、当該画像データの原本性を確保することができる。【０１１２】
また、第１の情報及び第２の情報を画像データに付帯させるため、本体ユニット及びカメラモジュールの夫々に情報が分散して存在しているような場合であっても、全ての情報を画像データに付帯させることができる。【０１１３】
項２に記載の発明によれば、原本性検証情報は、画像データの改竄の有無を検出するための改竄検出用情報であるため、この原本性検証情報に基づいて画像データの改竄の検出を行うことが可能であり、当該画像データの原本性を確保することができる。【０１１４】
項３に記載の発明によれば、原本性保証情報は、前記画像データの著作者を確認するための電子署名情報であるため、この原本性検証情報に基づいて画像データの著作者を確認することが可能であり、当該画像データの原本性を確保することができる。【０１１５】
項４に記載の発明によれば、原本性保証情報は、前記画像データの撮像時の時刻を示す時刻情報であるため、この原本性保証情報に示される時刻に画像データが存在していたことを証明することができる。【０１１６】
項５に記載の発明によれば、本体ユニットは、原本性検証情報の原本性を保証する第三機関から取得する取得手段を更に有することにより、第三機関を介して画像データの原本性を検証することが可能であるため、当該画像データの原本性を確保することができる。【０１１７】
項６に記載の発明によれば、第１の制御手段は、前記第１の情報に含まれる原本性保証情報を、前記画像データの信号内に電子透かしとして埋め込ませることにより、この原本性保証情報を画像データから不可分な形態で付帯させることができる。【０１１８】
項７に記載の発明によれば、第１の情報は、前記撮像手段による撮影に伴う前記本体ユニット固有の撮影情報を含んでいることにより、本体ユニットに固有の撮影情報をカメラモジュールに伝達することができる。【０１１９】
項８に記載の発明によれば、第２の情報は、前記撮像手段による撮影に伴う前記カメラモジュール固有の撮影情報を含んでいることにより、カメラモジュールに固有の撮影情報を画像データに付帯させることができる。【０１２０】
項９に記載の発明によれば、第１の制御手段は、第１の情報に含まれる本体ユニット固有の撮影情報及び第２の情報に含まれるカメラモジュール固有の撮影情報に基づいて、全体の撮影情報を生成し、この全体の撮影情報を前記画像データに所定の形式で付帯させる。このことにより、全体の撮影情報を所定の形式で画像データに付帯させることができるため、例えば、デジタルカメラで多く用いられるＥｘｉｆ（Exchangeable Image File Format）規格に準拠した形式で全体の撮影情報を画像データに付帯させることができる。【０１２１】
項１０に記載の発明によれば、本体ユニットは、前記原本性検証情報を前記第１の情報に含めるか否かを選択的に設定可能な入力手段を更に有することにより、ユーザは、入力手段を介して原本性検証情報を付帯した画像データを出力させるか否かを選択することが可能であるため、撮影状況に応じて使い分けることができる。
【図１】
2006016471.tif 000002
【図２】
2006016471.tif 000003
【図３】
2006016471.tif 000004
【図４】
2006016471.tif 000005
【図５】
2006016471.tif 000006
【国際調査報告】
2006016471.tif 000007
2006016471.tif 000008